(57)【要約】【課題】耐荷重性および耐熱性を満たしながらも意匠性の高い外観を呈するティーウォーマーを提供する。【解決手段】ティーウォーマー１０は、ティーポット４０を支持する環１８を備えるスタンド１２と、環２０の内側に設置し、上方に置かれたティーポット４０を加熱するティーキャンドル１６と、スタンド１２を囲繞するステンドグラス製の装飾壁１４とを備える。ティーポット４０の荷重はスタンド１２のみが負担し、装飾壁１４には荷重がかからないため、ステンドグラス３２のような意匠性のみを追求した剛性の低い素材を用いることができる。【選択図】図２
0003186547.tif 000002
【実用新案登録請求の範囲】
【請求項１】
耐熱容器を支持するスタンドと、
前記耐熱容器を加熱するキャンドルと、
前記スタンドを囲繞するステンドグラス製の装飾壁とを備える、
耐熱容器加熱装置。
【請求項２】
前記スタンドが、前記耐熱容器を下方から支えるための環と、前記キャンドルを内側に納めるための環と、前記２つの環を繋ぐ脚とを備える、
請求項１に記載の耐熱容器加熱装置。
【請求項３】
前記装飾壁が、一定の傾斜角で連結された複数の矩形の装飾面を備える、
請求項１または２に記載の耐熱容器加熱装置。
【考案の詳細な説明】
【技術分野】
【０００１】
本考案は、ティーポットやオイル皿などの耐熱容器を加熱保温する装置に関する。
【背景技術】
【０００２】
生活環境を彩るアイテムの一つとして、ティーウォーマーやアロマポットは大変に人気のある商品となっている。これらの商品は、ガラスや陶器などの耐熱容器にキャンドルの炎を直に当て、容器に入れられた紅茶等の飲料やアロマなどを加熱保温するというものである。構造は至って簡素であり、容器を支えるための支持台の下方にキャンドルの置き場所を確保しただけという形態のものがほとんどである。例えば、特許文献１にはティーウォーマーが記載されているが、ここではティーポットの支持台としてガラス容器を使用し、ガラス容器の内側にキャンドルの設置台を設けている。
【先行技術文献】
【特許文献】
【０００３】
【特許文献１】登録実用新案第３０８５０６４号公報
【考案の概要】
【考案が解決しようとする課題】
【０００４】
ティーウォーマーは機能的にはティーポットを加熱保温するだけのものであるが、実際の使用態様においては生活空間に彩りや豊かさを与えるインテリア商品としての側面も有している。特に揺れ動く炎には見る人に安らぎや癒しを与える効果があると言われており、安全で手軽な電気式の商品があるにも関わらず敢えて原始的なキャンドル式の商品を選択するという消費行動も顕著である。
【０００５】
しかし、炎の取り扱いには細心の注意を払わなければならない。そのため、ティーウォーマーの多くは、特許文献１に記載されているようにガラス容器の内側にキャンドルを設置するといった安全面を重視したタイプのものになっている。この場合、ガラス容器にはティーポットの重量に耐え得る耐荷重性と耐熱性が要求される。そのため、必然的に厚めのガラスを湾曲させた形状にならざるを得ず、結果としてデザインの自由度に乏しく、商品としての個性を発揮しにくいという状況にある。
【０００６】
本考案は、ティーウォーマーに要求される耐荷重性および耐熱性を満たしながらも意匠性の高い外観を呈する耐熱容器加熱装置を提供することを目的とする。
【課題を解決するための手段】
【０００７】
前記の課題を解決するため、本考案は、耐熱容器を支持するスタンドと、前記耐熱容器を加熱するキャンドルと、前記スタンドを囲繞するステンドグラス製の装飾壁とを備える、耐熱容器加熱装置を提供する。
【０００８】
耐熱容器加熱装置は、前記スタンドが、前記耐熱容器を下方から支えるための環と、前記キャンドルを内側に納めるための環と、前記２つの環を繋ぐ脚とを備えるように構成することができる。
【０００９】
耐熱容器加熱装置は、前記装飾壁が、一定の傾斜角で連結された複数の矩形の装飾面を備えるように構成することができる。
【考案の効果】
【００１０】
本考案においては、耐熱容器を支持するスタンドと装飾壁とをそれぞれ独立させ、スタンドにのみ耐熱容器による荷重を負担させることで、装飾壁にはステンドグラスのような意匠性のみを追求した剛性の低い素材を用いることができるようになる。これにより、例えばティーウォーマーに要求される耐荷重性および耐熱性を満たしながらも意匠性の高い外観を呈する耐熱容器加熱装置を提供することが可能になる。
【図面の簡単な説明】
【００１１】
【図１】ティーウォーマーの構成を示す図
【図２】ティーウォーマーでティーポットを加熱する様子を示す図
【考案を実施するための形態】
【００１２】
本考案の実施の形態のティーウォーマーについて図１および図２を参照しながら説明する。
【００１３】
ティーウォーマー１０は、スタンド１２、装飾壁１４、ティーキャンドル１６の組み合わせによって構成されている。スタンド１２は一般に五徳と呼ばれる金属製の架台であり、直径の異なる２個の環１８、２０と３本の脚２２を溶接によって形成されている。３本の脚２２によって環１８を支え、小さい方の環２０によって３本の脚２２の位置のバランスを整えている。環１８はティーポットやアロマポット等の耐熱容器を載せる部位であるため、これらの容器を安定して支えられるように直径が定められている。環２０は内側にティーキャンドル等の加熱手段を設置するだけのスペースを確保できるように直径が定められている。
【００１４】
装飾壁１４はスタンド１２を囲繞する６枚の矩形の装飾面によって構成されている。各装飾面は金属製の枠３０によってステンドグラス３２の小片を固定することによって構成されている。隣接する装飾面は１２０度の傾斜角で連結されており、これにより装飾壁１４は平面視して正六角形の外観を呈している。枠３０にはカッパーホイルと呼ばれる銅製の箔などを用いることができる。ステンドグラス３２の小片の周縁にカッパーホイルを巻き付け、カッパーホイル同士を半田によって接合して装飾面を形成する。装飾面の枚数には特段の限定はなく、任意の枚数の装飾面を用いて正六角形以外の多角形の外観とすることができる。
【００１５】
装飾壁１４は内側にスタンド１２を設置したときにスタンド１２との間に概ね１〜２ｃｍ程度の適度なクリアランスが生まれるように大きさが定められている。このクリアランスが小さすぎると、スタンド１２やスタンド１２に載せたティーポット４０が装飾壁１４に接触して、ステンドグラス３２に傷や破損が生じることがある。また、ティーキャンドル１６とステンドグラス３２との距離が近くなるため、ステンドグラス３２には熱による変形や変色、煤による汚染等の不具合が生じやすくなる。一方、クリアランスが大きすぎると、ティーキャンドル１６とステンドグラス３２との距離が遠くなるため、ティーキャンドル１６の炎によってステンドグラス３２を明るく照らし出すことができなくなる。
【００１６】
ティーウォーマー１０は、ティーポット４０の荷重をスタンド１２のみで負担し、装飾壁１４には原則として負荷がかからないような構造となっている。そのため装飾壁１４にはステンドグラス３２のような平坦で薄いガラスを素材として用いることができる。ティーキャンドル１６は、ティーポット４０を加熱する手段と、装飾壁１４を構成するステンドグラス３２を照射する手段としての役割がある。
【００１７】
ティーウォーマー１０は、荷重を負担するスタンド１２と負担しない装飾壁１４というように機能を分担していることから、ステンドグラス３２のような意匠性のみを追求した剛性の低いガラスを装飾壁１４の素材として用いることができる。これにより従来はティーウォーマーの素材としては用いられていなかったステンドグラスを用いることができるようになり、従来のティーウォーマーに比べてもさらに意匠性の高い製品を提供することができるようになる。
【符号の説明】
【００１８】
１０  ティーウォーマー
１２  スタンド
１４  装飾壁
１６  ティーキャンドル
１８  環
２０  環
２２  脚
３０  枠
３２  ステンドグラス
４０  ティーポット
【図１】
0003186547.tif 000003
【図２】
0003186547.tif 000004